(57)【要約】【課題】  製造工程における仕向け別の製造ラインの統一することができる。【解決手段】  着脱可能な記憶媒体から装置仕様を決めるための初期化情報を読み出し、初期化情報に基づき、カメラ信号信号処理回路やＶＴＲ信号処理回路等の回路ブロックの動作モードを決定するようにした。【選択図】  図２
2006135409.tif 000002
【特許請求の範囲】
【請求項１】
着脱可能な記憶媒体を接続できる記録再生装置であって、
複数の動作モードを選択的に実行可能な回路ブロックと、
前記記憶媒体から装置仕様を決めるための初期化情報を読み出し、前記初期化情報に基づき、前記回路ブロックの動作モードを決定する初期化手段と、を有することを特徴とする記録再生装置。
【請求項２】
前記初期化情報として、放送方式の設定情報、表示言語の設定情報のうち少なくとも１つを含むことを特徴とする請求項１に記載の記録再生装置。
【請求項３】
前記記憶媒体は、前記初期化情報とは別に画像データも記憶可能であることを特徴とする請求項１に記載の記録再生装置。
【請求項４】
前記初期化手段により前記装置仕様を決定した場合、再度の前記初期化による装置仕様の変更を禁止させる処理を行うことを特徴とする請求項１に記載の記録再生装置。
【請求項５】
禁止処理を行った場合、初期化情報を保持した記憶媒体から、初期化情報を消去することを特徴とする請求項４に記載の記録再生装置。
【請求項６】
着脱可能なデータ記憶機能付バッテリーを接続できる記録再生装置であって、
複数の動作モードを選択的に実行可能な回路ブロックと、
前記バッテリーから装置仕様を決めるための初期化情報を読み出し、前記初期化情報に基づき、前記回路ブロックの動作モードを決定する初期化手段と、を有することを特徴とする記録再生装置。
【請求項７】
着脱可能な記憶媒体を接続でき、複数の動作モードを選択的に実行可能な回路ブロックを有する記録再生装置の制御方法であって、
前記記憶媒体から装置仕様を決めるための初期化情報を読み出し、前記初期化情報に基づき、前記回路ブロックの動作モードを決定することを特徴とする記録再生装置の制御方法。
【請求項８】
着脱可能なデータ記憶機能付バッテリーを接続でき、複数の動作モードを選択的に実行可能な回路ブロックを有する記録再生装置の制御方法であって、
前記バッテリーから装置仕様を決めるための初期化情報を読み出し、前記初期化情報に基づき、前記回路ブロックの動作モードを決定することを特徴とする記録再生装置の制御方法。
【発明の詳細な説明】
【技術分野】
【０００１】
本発明は、着脱式の記憶媒体またはバッテリーを接続可能な記録再生装置及び記録再生装置の制御方法に関するものである。
【背景技術】
【０００２】
従来の記録記録再生装置の製造工程では、ＰＡＬ圏、ＮＴＳＣ圏といった放送方式の違いにより製造ラインを立ち上げ、それぞれの製造ラインにおいて、撮像素子制御部、カメラ信号処理回路部、ＶＴＲ映像信号処理部、液晶表示部といった各種回路ブロックごとに、製造される放送方式に応じた初期化データを用いて初期化を行い、製品の生産を行っている。また、同一の放送方式であっても、販売地域で使用されている言語に応じてオンスクリーン表示言語の初期表示言語を設定するため、同一の放送方式の製造ラインにおいても表示言語設定工程が存在している。また、仕向けのための製造工程のコスト削減を目的とした発明が特許文献１に開示されている。
【特許文献１】特開２００１−０１６６０８号公報
【発明の開示】
【発明が解決しようとする課題】
【０００３】
しかしながら、上記背景技術で示した通り、従来の記録記録再生装置の製造工程では、ＰＡＬ圏、ＮＴＳＣ圏といった放送方式の違いや、販売地域で使用される言語の違いにより、様々な仕向けが存在し、その仕向けに応じて複数の製造ラインを立ち上げ製造しなければならないため、仕向けにごとのライン管理や、生産台数の管理が複雑になり、新たな仕向けが発生した場合は生産ラインを増設しなければならない。
【０００４】
本発明は上記問題点を解決するためのものであり、製造工程における仕向け別の製造ラインの統一することができる記録再生装置及び記録再生装置の制御方法を提供することを目的とする。
【課題を解決するための手段】
【０００５】
上記目的を達成するために、本発明の記録再生装置は、着脱可能な記憶媒体を接続できる記録再生装置であって、複数の動作モードを選択的に実行可能な回路ブロックと、前記記憶媒体から装置仕様を決めるための初期化情報を読み出し、前記初期化情報に基づき、前記回路ブロックの動作モードを決定する初期化手段と、を有することを特徴とする。
【０００６】
また、本発明の記録再生装置は、着脱可能なデータ記憶機能付バッテリーを接続できる記録再生装置であって、複数の動作モードを選択的に実行可能な回路ブロックと、前記バッテリーから装置仕様を決めるための初期化情報を読み出し、前記初期化情報に基づき、前記回路ブロックの動作モードを決定する初期化手段と、を有することを特徴とする。
【０００７】
また、本発明の記録再生装置の制御方法は、着脱可能な記憶媒体を接続でき、複数の動作モードを選択的に実行可能な回路ブロックを有する記録再生装置の制御方法であって、前記記憶媒体から装置仕様を決めるための初期化情報を読み出し、前記初期化情報に基づき、前記回路ブロックの動作モードを決定することを特徴とする。
【０００８】
また、本発明の記録再生装置の制御方法は、着脱可能なデータ記憶機能付バッテリーを接続でき、複数の動作モードを選択的に実行可能な回路ブロックを有する記録再生装置の制御方法であって、前記バッテリーから装置仕様を決めるための初期化情報を読み出し、前記初期化情報に基づき、前記回路ブロックの動作モードを決定することを特徴とする。
【発明の効果】
【０００９】
本発明によれば、付属のカードやバッテリーといった外部記憶媒体によって仕向けを設定することができるので、統一された製造ラインを立ち上げることが可能となり、仕向けに応じたライン管理や、生産台数の調整が不要となり、新たな仕向けが発生した場合も製造ラインを増設することなく、製造することが可能となる。
【発明を実施するための最良の形態】
【００１０】
以下、図面を参照して本発明の実施の形態を説明する。
【００１１】
（第１の実施形態）
図１は、本発明が適用されるディジタルビデオカムコーダの基本構成を示す図である。本実施形態は、大きく分けて、被写体を撮影すると共にその映像信号を生成するカメラ部５と、カメラ部５から供給される映像信号を記録／再生するレコーダ部６と、カメラ部５からレコーダ部６を介して供給される映像信号を表示する映像表示部７と、プログラムや各種設定データを保存する為のＲＯＭ領域とマイコンを保持することで全てのブロックを制御するシステム制御部４と音声信号データをデコードしスピーカーより出力する為の音声信号制御部８と、ＳＤカードおよびＭＭＣカードといったカードに対して、映像・音声データを記録再生する処理を行うカード制御部９と各ブロックに電力供給を行う為の電源部１０からなる。
【００１２】
カメラ部５は、撮影レンズ１３、オートアイリス１４、撮像素子（ＣＣＤ）１５、およびカメラ信号処理回路１６からなる。撮像素子１５は、撮影レンズ１３により結像され、オートアイリス１４により光量調整された光学像を電気信号に変換する。カメラ信号処理回路１６は、撮像素子１５の出力画像信号を二重相関サンプリングし、利得を自動調整し、その出力にγ補正、ホワイトバランス調整、クロマノイズリダクション処理、および輝度／色差変換など周知の処理を施して、レコーダ部６に供給する。
【００１３】
レコーダ部６は、ＶＴＲ信号処理回路１７の映像信号と記録再生回路１８からなり、カメラ信号記録モードでは、カメラ部５のカメラ信号処理回路１６から供給された映像信号に対しＤＶ記録フォーマット変換、輝度信号／クロマ信号への各種フィルター制御、表示部７へ供給する為のＲ／Ｇ／Ｂ信号の生成など、ＶＴＲ信号処理を施して、記録再生回路１８と表示部７に供給する。再生モードでは、記録再生回路１８からの再生映像信号を表示部７に供給する。記録再生回路１８は、記録モードではＶＴＲ信号処理回路１７の映像信号からの映像信号をシンクブロック単位に呼び出し２４／２５変換などを施し記録パターンを生成し記録媒体に記録し、再生モードでは、記録媒体から読み出された記録信号Ａ／Ｄ変換、ビタビ復号化処理などを施しディジタル再生映像信号を生成し、該再生映像信号をＶＴＲ信号処理回路１７の映像信号に供給する。
【００１４】
表示部７は、液晶表示パネル２０と液晶表示パネル２０を駆動する駆動回路１９からなる。液晶表示パネル２０は、アスペクト比３：４の通常画面だけではなく、アスペクト比１６：９のワイド画面にも対応可能である。
【００１５】
システム制御部４はマイクロコンピュータ１１とプログラムと各種調整データなどを保持するＲＯＭ１２を持ち、マイクロコンピュータ１１とＲＯＭ１２によりカメラ部５、レコーダ部６、表示部７、音声信号制御部８、カード制御部９、電源部１０を制御する。音声信号制御部８は、レコーダ部６から供給される再生音声データやＲＯＭ１２に保持している音声データを音声信号処理回路２１でデコードしスピーカー２２に供給することで音声を出力する。カード制御部９は、ＭＭＣカードやＳＤカードなどの各種カード２４に映像・音声データをカード部処理回路２３でエンコード・デコード処理を行い記録および再生を行う。電源部１０はバッテリーパック２３やＡＣ電源より供給される電圧を電源２５で昇圧および降圧し各ブロックの要求に応じた電圧を供給する。またバッテリーパック２３に不揮発性のメモリーが内蔵されている場合、メモリー内部のデータをマイクロコンピュータ１１により読み込むことが可能である。
【００１６】
本実施形態では、図１で示したディジタルビデオカムコーダの初期化において、ＭＭＣ／ＳＤカード等の外部記憶媒体に初期化情報を保持し、該初期化情報を用いてディジタルカムコーダを初期化する場合の実施形態について説明する。なお、ここでいう初期化とは、各回路ブロックの動作モードを決定することにより装置全体での仕様を確定させることをいう。
【００１７】
図３はディジタルカムコーダに初期化情報を保持した外部記憶媒体を装着する際の概略図であり、図２は本実施形態のフローチャートである。
【００１８】
本体装置の電源をＯＮした時に、ＭＭＣ／ＳＤカードなどの着脱可能な外部記憶媒体が装着されているか否かを検出し（Ｓ１０１）、外部記憶媒体が装着されていることを認識した場合、本体内部のＲＯＭ領域より、過去に初期化がなされているか否かの情報を読込み（Ｓ１０２）、過去に初期化がなされている場合は初期化処理ルーチンから直ちに抜ける処理を行う（Ｓ１１０）。
【００１９】
過去に初期化がなされていない場合は、外部記憶媒体の初期化データを保持しているアドレスと読み込む領域を指定し（Ｓ１０３）、初期化データを本体内のＲＡＭ領域に読込む処理を行う（Ｓ１０４）。そして、読込まれた初期化データが正しい初期化データであるか否かを図３記載の初期化データ判別情報を用いて判別する（Ｓ１０４）。
【００２０】
ここで、正しい初期化データである場合はＶＴＲ信号処理部、カメラ信号処理部、映像表示部、表示言語設定処理など、初期化が必要な制御ブロックに初期化データが供給され（Ｓ１０６）、各制御ブロック単位で初期化データの内容を判別し判別結果に即した初期化が行われる（Ｓ１０７）。最後に、全ての処理ブロックで初期化が完了された場合（Ｓ１０８）、内部ＲＯＭ領域に初期化が完了したことを示す情報を記録する（Ｓ１０９）。この初期化が完了したことを示す情報は先に説明した過去に初期化が行われたか否かを判断するための情報と同一のものである。
【００２１】
図４は着脱可能な外部記憶媒体に初期化データが保持される場合のデータ配列の一例である。この場合、アドレス０ｘ００００から０ｘ０００４領域に初期化データが保持されており、初期化データが保持されている領域の先頭アドレス（図４では０ｘ００００）とエリア（図４では０ｘ０００４）を指定することで、本体内のＲＡＭ領域に初期化データを読込むことが可能となる。
【００２２】
初期化データに書かれた動作モードを決定するための各種設定データとは、下記に示す通りである。初期化データ判別情報は実際に本体ないに取込まれた初期化データが正しい初期化データであるかを判別するためのものであり、放送方式情報とは、ＮＴＳＣ／ＰＡＬといった放送方式や、アナログ入力が有る機種かない機種かを選択、設定するためのものである（図５参照）。設定言語情報とは、使用地域に応じた表示言語を設定するための情報であり、この情報を用いて機器の表示言語を設定する（図６参照）。各回路ブロックは予め複数の動作モード（ＮＴＳＣ／ＰＡＬ、日本語／英語、等で動作すること）を実行するためのプログラムが記憶されており、これら複数の動作モードを選択的に実行可能なものである。
【００２３】
図７は初期化データにより初期化される回路ブロック例である。この図の場合、図１で説明されたＶＴＲ信号処理回路１７はＮＴＳＣで動作するための初期化が行われ、カメラ信号信号処理回路１６、映像表示部７もＮＴＳＣで動作するための初期化が行われる。そして表示言語設定情報により表示言語は日本語が設定される。
【００２４】
以上説明したように、本実施形態によれば、記憶媒体から装置仕様を決めるための初期化情報を読み出し、初期化情報に基づき、カメラ信号信号処理回路やＶＴＲ信号処理回路等の回路ブロックの動作モードを決定するようにした。
【００２５】
これにより、記憶媒体を用いて仕向けを設定することができるので、統一された製造ラインを立ち上げることが可能となり、仕向けに応じたライン管理や、生産台数の調整が不要となり、新たな仕向けが発生した場合も製造ラインを増設することなく、製造することが可能となる。
【００２６】
（第２の実施形態）
本実施形態では、図１で示したディジタルビデオカムコーダの初期化において、外部記憶媒体内蔵の着脱可能なバッテリーにおいて該外部記憶媒体に初期化データを保持し、該初期化データを用いてディジタルカムコーダ本体を初期化する場合の実施形態について説明する。
【００２７】
外部記憶媒体内蔵バッテリーに初期化データが保持される場合のデータ配列、初期化データに書かれた放送方式情報、言語設定情報、および初期化情報により初期化される回路ブロック例は、実施形態１の図３，図４、図５、図６を用いて説明したものと同様であるとする。
【００２８】
図９はディジタルカムコーダに外部記憶媒体内蔵バッテリーを装着する際の概略図であり、図８は本実施形態のフローチャートである。本体装置の電源をＯＮした時に、外部記憶媒体内蔵バッテリーが装着されているか否かを検出し、外部記憶媒体内蔵バッテリーが装着されていることを認識した場合（Ｓ２０１、Ｓ２０２）、本体内部のＲＯＭ領域より、過去に初期化がなされているか否かの情報を読込み（Ｓ２０３）、過去に初期化がなされていない場合は初期化処理ルーチンから直ちに抜ける処理を行う（Ｓ２１０）。
【００２９】
過去に初期化がなされている場合は、外部記憶媒体内の初期化データを保持しているアドレスと読み込む領域を指定し（Ｓ２０４）、初期化データを本体内のＲＡＭ領域に読込む処理を行う（Ｓ２０５）。そして、読込まれた初期化データが正しい初期化データであるか否かを図３記載の初期化情報判別データを用いて判別する（Ｓ２０６）。
【００３０】
ここで、正しい初期化データである場合はＶＴＲ信号処理部１７、カメラ信号処理部１６、映像表示部７、表示言語設定処理、初期化が必要な制御ブロックに初期化情報が供給され（Ｓ２０７）、各制御ブロック単位で初期化データに即した初期化が行われる（Ｓ２０８）。最後に、全ての処理ブロックで初期化が完了された場合、内部ＲＯＭ領域に初期化が完了したことを示す情報を記録する（Ｓ２０９）。この初期化が完了したことを示す情報は先に説明した過去に初期化が行われたか否かを判断するための情報と同一のものである。
【００３１】
以上説明したように、本実施形態によれば、バッテリーから装置仕様を決めるための初期化情報を読み出し、初期化情報に基づき、カメラ信号信号処理回路やＶＴＲ信号処理回路等の回路ブロックの動作モードを決定するようにした。
【００３２】
これにより、バッテリーを用いて仕向けを設定することができるので、統一された製造ラインを立ち上げることが可能となり、仕向けに応じたライン管理や、生産台数の調整が不要となり、新たな仕向けが発生した場合も製造ラインを増設することなく、製造することが可能となる。
【図面の簡単な説明】
【００３３】
【図１】ディジタルビデオカムコーダ本体の概略構成図
【図２】実施形態１のフローチャート
【図３】実施形態１の概略図
【図４】外部不揮発性メモリ内の初期化データ配列例
【図５】初期化データ例（放送方式情報）
【図６】初期化データ例（設定言語情報）
【図７】初期化データにより初期化される回路ブロック
【図８】実施形態２のフローチャート
【図９】実施形態２の概略図
【符号の説明】
【００３４】
１  記録再生装置
２  初期化用不揮発性メモリーカード
３  メモリー内蔵バッテリー
４  システム制御部
５  カメラ部
６  レコーダ部
７  映像表示部
８  音声信号制御部
９  カード制御部
１０  電源部
１１  マイコン
１２  ＲＯＭ
１３  レンズ
１４  アイリス
１５  ＣＣＤ
１６  カメラ信号処理部
１７  ＶＴＲ信号処理回路
１８  記録再生回路
１９  駆動回路
２０  液晶パネル
２１  音声信号処理回路
２２  スピーカー
２３  カード部処理回路
２４  カード
２５  電源
２６  バッテリー
【図１】
2006135409.tif 000003
【図２】
2006135409.tif 000004
【図３】
2006135409.tif 000005
【図４】
2006135409.tif 000006
【図５】
2006135409.tif 000007
【図６】
2006135409.tif 000008
【図７】
2006135409.tif 000009
【図８】
2006135409.tif 000010
【図９】
2006135409.tif 000011